(57)【要約】【課題】装置の小型化に寄与しつつ、広い視野で、且つ、画質を向上させた眼底の画像を得ることが可能な眼科装置を提供する。【解決手段】眼科装置は、２次元走査光学系と、屈折光学系と、凹面鏡とを含む。２次元走査光学系は、光源からの光を第１の角度範囲において偏向する。屈折光学系は、２次元走査光学系により偏向された光を第１の角度範囲より広い第２の角度範囲において偏向する。凹面鏡は、回転対称面の少なくとも一部に配置された反射面を有し、屈折光学系から出射された光を反射する。屈折光学系の射出側光軸は、回転対称面の回転対称軸に略一致するように配置される。屈折光学系による瞳位置と凹面鏡の射出焦点とは、光学的に共役な位置またはその近傍に配置される。射出焦点は、被検眼位置に配置される。【選択図】図２
2015205176.tif 000002
【特許請求の範囲】
【請求項１】
光源からの光を第１の角度範囲において偏向する２次元走査光学系と、
前記２次元走査光学系により偏向された光を前記第１の角度範囲より広い第２の角度範囲において偏向する屈折光学系と、
回転対称面の少なくとも一部に配置された反射面を有し、前記屈折光学系から出射された光を反射する凹面鏡と、
を含み、
前記屈折光学系の射出側光軸は、前記回転対称面の回転対称軸に略一致するように配置され、
前記屈折光学系による瞳位置と前記凹面鏡の射出焦点とは、光学的に共役な位置またはその近傍に配置され、
前記射出焦点は、被検眼位置に配置される
ことを特徴とする眼科装置。
【請求項２】
前記凹面鏡、前記屈折光学系、および前記２次元走査光学系をこの順に経由した、前記被検眼位置からの戻り光を受光する受光部を含むことを特徴とする請求項１に記載の眼科装置。
【請求項３】
前記２次元走査光学系は、
第１回動軸回りに回動可能に設けられ、前記光源からの光を反射することによって第１方向に走査するための第１走査手段と、
前記第１回動軸に直交する第２回動軸回りに回動可能に設けられ、前記第１走査手段により走査された光を反射することによって前記第１方向に直交する第２方向に走査するための第２走査手段と、
を含むことを特徴とする請求項１または請求項２に記載の眼科装置。
【請求項４】
前記第１走査手段の反射面と前記第２走査手段の反射面とは、光学的に共役な位置に配置されている
ことを特徴とする請求項３に記載の眼科装置。
【請求項５】
前記第１走査手段または前記第２走査手段は、回転ミラーであり、
前記回転ミラーの回動軸は、前記２次元走査光学系の光軸に略平行に配置されている
ことを特徴とする請求項３または請求項４に記載の眼科装置。
【請求項６】
前記屈折光学系は、
前記凹面鏡に光学的に最も近い位置に配置された第１光学素子と、
前記２次元走査光学系に光学的に最も近い位置に配置された第２光学素子とを含み、
前記第２光学素子は、前記屈折光学系の光軸方向に移動可能に構成されている
ことを特徴とする請求項１〜請求項５のいずれか一項に記載の眼科装置。
【請求項７】
前記屈折光学系は、
前記第１光学素子の光軸と前記第２光学素子の光軸との交差位置に反射面が配置された反射手段を含む
ことを特徴とする請求項６に記載の眼科装置。
【請求項８】
被検眼に光を照射するための第１光学系と、
前記第１光学素子と前記第２光学素子との間に配置された第１ビームスプリッタと、
を含み、
前記第１ビームスプリッタは、前記屈折光学系の光路と前記第１光学系の光路とを合成する
ことを特徴とする請求項６に記載の眼科装置。
【請求項９】
前記第１光学系は、前記被検眼に固視標を投影するための固視光学系を含む
ことを特徴とする請求項８に記載の眼科装置。
【請求項１０】
前記第１光学系は、光コヒーレンストモグラフィにより前記被検眼の画像を取得するためのＯＣＴ光学系を含む
ことを特徴とする請求項８または請求項９に記載の眼科装置。
【請求項１１】
被検眼に光を照射するための第２光学系と、
前記光源と前記２次元走査光学系との間に配置された第２ビームスプリッタと、
を含み、
前記第２ビームスプリッタは、前記光源からの光の光路と前記第２光学系の光路とを合成する
ことを特徴とする請求項１〜請求項１０のいずれか一項に記載の眼科装置。
【請求項１２】
前記第２光学系は、光コヒーレンストモグラフィにより前記被検眼の画像を取得するためのＯＣＴ光学系を含む
ことを特徴とする請求項１１に記載の眼科装置。
【請求項１３】
被検眼に光を照射するための第３光学系と、
前記光源と前記第１光学素子の間に配置された第３ビームスプリッタと、
を含み、
前記第３ビームスプリッタは、前記光源からの光の光路と前記第３光学系の光路とを合成する
ことを特徴とする請求項６に記載の眼科装置。
【請求項１４】
前記第２の角度範囲は、前記射出側光軸から外れた領域に設けられている
ことを特徴とする請求項１〜請求項１３のいずれか一項に記載の眼科装置。
【請求項１５】
前記凹面鏡は、楕円面ミラーである
ことを特徴とする請求項１〜請求項１４のいずれか一項に記載の眼科装置。
【請求項１６】
前記凹面鏡は、第１焦点および第２焦点を有し、
前記第１焦点は、前記瞳位置またはその近傍に配置され、
前記第２焦点は、前記被検眼位置に配置される
ことを特徴とする請求項１５に記載の眼科装置。
【請求項１７】
前記凹面鏡は、自由曲面ミラーである
ことを特徴とする請求項１〜請求項１４のいずれか一項に記載の眼科装置。
【請求項１８】
前記屈折光学系の光源側の瞳位置と前記凹面鏡の射出焦点とは、光学的に共役な位置またはその近傍に配置されている
ことを特徴とする請求項１７に記載の眼科装置。
【請求項１９】
前記第２の角度範囲は、３０度以上である
ことを特徴とする請求項１〜請求項１８のいずれか一項に記載の眼科装置。
【発明の詳細な説明】
【技術分野】
【０００１】
本発明は、被検眼の画像を得るための眼科装置に関する。
【背景技術】
【０００２】
眼科装置には、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて断層像を得る光干渉断層計、眼底を写真撮影する眼底カメラ、共焦点光学系を用いたレーザ走査により眼底の画像を得る走査型レーザ検眼鏡（Ｓｃａｎｎｉｎｇ  Ｌａｓｅｒ  Ｏｐｈｔｈａｌｍｏｓｃｏｐｅ：ＳＬＯ）、スリット光を用いて角膜の光切片を切り取ることにより画像を得るスリットランプなどがある。
【０００３】
このような眼科装置の１つである走査型レーザ検眼鏡は、レーザ光で眼底をスキャンし、その戻り光を受光デバイスで検出することにより、眼底の正面画像を形成する装置である。走査型レーザ検眼鏡は、眼疾患のスクリーニングに有用な眼科装置である。眼疾患のスクリーニングを目的とする場合、走査型レーザ検眼鏡には、より広い視野で形成された眼底の画像を取得することが求められる。
【０００４】
たとえば、特許文献１には、被検眼が配置される被検眼位置に向けて、スリット鏡と主鏡とにより見かけ上の点光源を伝達するように構成された走査型レーザ検眼鏡が開示されている。
【先行技術文献】
【特許文献】
【０００５】
【特許文献１】特許第５３３０２３６号
【発明の概要】
【発明が解決しようとする課題】
【０００６】
しかしながら、従来の走査型レーザ検眼鏡では、２種類の楕円面ミラーを配置する必要があるため、装置の大型化を招き、被検者に圧迫感を与えるという問題があった。
【０００７】
また、従来の走査型レーザ検眼鏡は、スリット鏡や主鏡などの反射光学系の光学素子を配置することにより構成されるため光学素子の配置の自由度が低いので、より一層の画質の向上を図るための光学素子の配置の工夫が困難であるという問題があった。
【０００８】
本発明は、上記の問題点を解決するためになされたものであり、装置の小型化に寄与しつつ、広い視野で、且つ、画質を向上させた眼底の画像を得ることが可能な眼科装置を提供することを目的とする。
【課題を解決するための手段】
【０００９】
請求項１に記載の眼科装置は、光源からの光を第１の角度範囲において偏向する２次元走査光学系と、前記２次元走査光学系により偏向された光を前記第１の角度範囲より広い第２の角度範囲において偏向する屈折光学系と、回転対称面の少なくとも一部に配置された反射面を有し、前記屈折光学系から出射された光を反射する凹面鏡と、を含み、前記屈折光学系の射出側光軸は、前記回転対称面の回転対称軸に略一致するように配置され、前記屈折光学系による瞳位置と前記凹面鏡の射出焦点とは、光学的に共役な位置またはその近傍に配置され、前記射出焦点は、被検眼位置に配置される。
また、請求項２に記載の発明は、請求項１に記載の眼科装置であって、前記凹面鏡、前記屈折光学系、および前記２次元走査光学系をこの順に経由した、前記被検眼位置からの戻り光を受光する受光部を含む。
また、請求項３に記載の発明は、請求項１または請求項２に記載の眼科装置であって、前記２次元走査光学系は、第１回動軸回りに回動可能に設けられ、前記光源からの光を反射することによって第１方向に走査するための第１走査手段と、前記第１回動軸に直交する第２回動軸回りに回動可能に設けられ、前記第１走査手段により走査された光を反射することによって前記第１方向に直交する第２方向に走査するための第２走査手段と、を含む。
また、請求項４に記載の発明は、請求項３に記載の眼科装置であって、前記第１走査手段の反射面と前記第２走査手段の反射面とは、光学的に共役な位置に配置されている。
また、請求項５に記載の発明は、請求項３または請求項４に記載の眼科装置であって、前記第１走査手段または前記第２走査手段は、回転ミラーであり、前記回転ミラーの回動軸は、前記２次元走査光学系の光軸に略平行に配置されている。
また、請求項６に記載の発明は、請求項１〜請求項５のいずれか一項に記載の眼科装置であって、前記屈折光学系は、前記凹面鏡に光学的に最も近い位置に配置された第１光学素子と、前記２次元走査光学系に光学的に最も近い位置に配置された第２光学素子とを含み、前記第２光学素子は、前記屈折光学系の光軸方向に移動可能に構成されている。
また、請求項７に記載の発明は、請求項６に記載の眼科装置であって、前記屈折光学系は、前記第１光学素子の光軸と前記第２光学素子の光軸との交差位置に反射面が配置された反射手段を含む。
また、請求項８に記載の発明は、請求項６に記載の眼科装置であって、被検眼に光を照射するための第１光学系と、前記第１光学素子と前記第２光学素子との間に配置された第１ビームスプリッタと、を含み、前記第１ビームスプリッタは、前記屈折光学系の光路と前記第１光学系の光路とを合成する。
また、請求項９に記載の発明は、請求項８に記載の眼科装置であって、前記第１光学系は、前記被検眼に固視標を投影するための固視光学系を含む。
また、請求項１０に記載の発明は、請求項８または請求項９に記載の眼科装置であって、前記第１光学系は、光コヒーレンストモグラフィにより前記被検眼の画像を取得するためのＯＣＴ光学系を含む。
また、請求項１１に記載の発明は、請求項１〜請求項１０のいずれか一項に記載の眼科装置であって、被検眼に光を照射するための第２光学系と、前記光源と前記２次元走査光学系との間に配置された第２ビームスプリッタと、を含み、前記第２ビームスプリッタは、前記光源からの光の光路と前記第２光学系の光路とを合成する。
また、請求項１２に記載の発明は、請求項１１に記載の眼科装置であって、前記第２光学系は、光コヒーレンストモグラフィにより前記被検眼の画像を取得するためのＯＣＴ光学系を含む。
また、請求項１３に記載の発明は、請求項６に記載の眼科装置であって、被検眼に光を照射するための第３光学系と、前記光源と前記第１光学素子の間に配置された第３ビームスプリッタと、を含み、前記第３ビームスプリッタは、前記光源からの光の光路と前記第３光学系の光路とを合成する。
また、請求項１４に記載の発明は、請求項１〜請求項１３のいずれか一項に記載の眼科装置であって、前記第２の角度範囲は、前記射出側光軸から外れた領域に設けられている。
また、請求項１５に記載の発明は、請求項１〜請求項１４のいずれか一項に記載の眼科装置であって、前記凹面鏡は、楕円面ミラーである。
また、請求項１６に記載の発明は、請求項１５に記載の眼科装置であって、前記凹面鏡は、第１焦点および第２焦点を有し、前記第１焦点は、前記瞳位置またはその近傍に配置され、前記第２焦点は、前記被検眼位置に配置される。
また、請求項１７に記載の発明は、請求項１〜請求項１４のいずれか一項に記載の眼科装置であって、前記凹面鏡は、自由曲面ミラーである。
また、請求項１８に記載の発明は、請求項１７に記載の眼科装置であって、前記屈折光学系の光源側の瞳位置と前記凹面鏡の射出焦点とは、光学的に共役な位置またはその近傍に配置されている。
また、請求項１９に記載の発明は、請求項１〜請求項１８のいずれか一項に記載の眼科装置であって、前記第２の角度範囲は、３０度以上である。
【発明の効果】
【００１０】
この発明に係る眼科装置によれば、装置の小型化に寄与しつつ、広い視野で、且つ、画質を向上させた眼底の画像を得ることができる。
【図面の簡単な説明】
【００１１】
【図１】第１実施形態に係る眼科装置の構成例を示す図。
【図２】第１実施形態に係る光学系の構成例を示す図。
【図３】第１実施形態に係る眼科装置による走査の例を示す図。
【図４】第１実施形態に係る眼科装置の構成例を示す図。
【図５】第２実施形態に係る光学系の構成例を示す図。
【図６】第３実施形態に係る眼科装置の構成例を示す図。
【図７】第３実施形態に係る光学系の構成例を示す図。
【図８】第４実施形態に係る光学系の構成例を示す図。
【図９】第５実施形態に係る眼科装置の構成例を示す図。
【図１０】第５実施形態に係る光学系の構成例を示す図。
【図１１】第５実施形態に係る光学系の構成例を示す図。
【図１２】第５実施形態に係る眼科装置の構成例を示す図。
【図１３】第６実施形態に係る光学系の構成例を示す図。
【図１４】第７実施形態に係る光学系の構成例を示す図。
【図１５】第８実施形態に係る光学系の構成例を示す図。
【図１６】第９実施形態に係る光学系の構成例を示す図。
【発明を実施するための形態】
【００１２】
実施形態に係る眼科装置について、図面を参照しながら詳細に説明する。眼科装置は、被検眼をスキャンすることにより被検眼の画像（特に、眼底の画像）を得る装置である。このような眼科装置には、ＯＣＴを用いて眼底の断層像を得る光干渉断層計や、共焦点光学系を用いたレーザ走査により眼底の正面画像を得る走査型レーザ検眼鏡や、光干渉断層計の機能と走査型レーザ検眼鏡の機能とを組み合わせた複合機などがある。以下、実施形態に係る眼科装置が、走査型レーザ検眼鏡の機能を有する場合について説明する。
【００１３】
〔第１実施形態〕
［構成］
図１に、第１実施形態に係る眼科装置の概略構成の機能ブロック図を示す。
図２に、図１の光学系の概略構成を示す。図２において、図１と同様の部分には同一符号を付し、適宜説明を省略する。
【００１４】
眼科装置１は、被検眼Ｅの眼底Ｅｆをレーザ光でスキャンしてデータを取得し、この取得されたデータに基づいて眼底Ｅｆの正面画像を形成する装置である。眼科装置１は、光学系１００と、光学系１００以外の処理系とを有する。光学系１００は、眼底Ｅｆの光学的な観察や眼底Ｅｆの光学的な計測を行うために用いられる。処理系は、光学系１００により取得されたデータの処理や、装置各部の制御などを行う。
【００１５】
（光学系）
光学系１００は、各種の光学素子や光学デバイス、各種動作用の機構などを有する。この実施形態では、光学系１００は、照射光学系１０を有する。照射光学系１０は、光源部１１を有する。照射光学系１０は、被検眼Ｅが配置される被検眼位置に光源部１１からの光を導き、その反射光を受光することにより被検眼Ｅの眼底Ｅｆの正面画像を得るための光学系である。
【００１６】
照射光学系１０は、図２に示すように、光源部１１と、ビームエキスパンダ１２と、ビームスプリッタ１３と、受光部１４と、２次元走査光学系２０と、屈折光学系３０と、凹面鏡４０とを有する。
【００１７】
［光源部１１］
光源部１１は、被検眼位置に照射するためのレーザ光を出力する。光源部１１は、光源１１ａと、コリメートレンズ１１ｂと、開口絞り１１ｃとを有する。光源１１ａとしては、空間的コヒーレンシの高いレーザ光を出力する光源が用いられる。このような光源１１ａとして、半導体レーザ光源（波長掃引レーザ、スーパルミネッセントダイオードなど）、固体レーザ、ガスレーザなどがある。また、このような光源から出力された光を光ファイバに結合させたものや、ファイバレーザなどを、光源１１ａとして用いることも可能である。
【００１８】
コリメートレンズ１１ｂは、光源１１ａから出力されたレーザ光を平行光束とする。コリメートレンズ１１ｂは、同種または異種の光学素子を組み合わせた複合素子であってもよい。開口絞り１１ｃは、コリメートレンズ１１ｂにより平行光束とされたレーザ光を所定の範囲に制限する。コリメートレンズ１１ｂにより平行光束とされたレーザ光は、開口絞り１１ｃにより光束が制限されて、ビームエキスパンダ１２に入射する。
【００１９】
［ビームエキスパンダ１２］
ビームエキスパンダ１２は、光源部１１から出力されたレーザ光の光束径を変更する。ビームエキスパンダ１２は、両凸レンズ１２ａ、１２ｂを有する。両凸レンズ１２ａ、１２ｂは、光源部１１から出力されたレーザ光の光軸上に配置されている。ビームエキスパンダ１２は、平行光束とされたレーザ光の光束径が所定の径となるように変更する。
【００２０】
ビームエキスパンダ１２と２次元走査光学系２０との間には、ビームスプリッタ１３が配置されている。すなわち、ビームスプリッタ１３の透過方向には、ビームエキスパンダ１２と２次元走査光学系２０とが配置されている。ビームスプリッタ１３の反射方向には、受光部１４が配置されている。
【００２１】
［受光部１４］
受光部１４は、２次元走査光学系２０からビームスプリッタ１３に入射し、ビームスプリッタ１３により受光部１４に向けて反射された戻り光を受光する。この戻り光は、被検眼位置に導かれたレーザ光の戻り光であって、被検眼Ｅの眼底Ｅｆから凹面鏡４０、屈折光学系３０、および２次元走査光学系２０の順序で戻り光である。受光部１４は、集光レンズ１４ａと、共焦点ピンホール１４ｂと、受光素子１４ｃとを有する。
【００２２】
集光レンズ１４ａは、ビームスプリッタ１３により反射された戻り光を集光する。集光レンズ１４ａにより集光された戻り光は、共焦点ピンホール１４ｂにより所定の範囲内に制限されて受光素子１４ｃにより検出される。共焦点ピンホール１４ｂは、被検眼Ｅの眼底Ｅｆに光学的に共役な位置に配置されている。受光素子１４ｃには、光源１１ａが出力するレーザ光の波長に応じて、可視領域や赤外領域に感度を有する受光素子が用いられる。このような受光素子１４ｃとして、アバランシェフォトダイオード（Ａｖａｌａｎｃｈｅ  Ｐｈｏｔｄｉｏｄｅ）などがある。受光素子１４ｃにより検出された検出信号は、後述の画像形成部２３０に出力される。
【００２３】
［２次元走査光学系２０］
ビームエキスパンダ１２により光束径が変更されたレーザ光は、ビームスプリッタ１３を透過して２次元走査光学系２０に入射する。
【００２４】
２次元走査光学系２０は、光源部１１からの光を第１の角度範囲において偏向する光学系である。２次元走査光学系２０は、ポリゴンミラー２１と、ビームエキスパンダ２２と、回転ミラー２３とを有する。
【００２５】
ポリゴンミラー２１は、光源部１１から出力されたレーザ光を反射することによって垂直方向に走査するために用いられる。ポリゴンミラー２１は、それぞれが第１回動軸Ｐ１と略平行に設けられた複数の反射面を有し、第１回動軸Ｐ１回りに回動可能に設けられる。第１回動軸Ｐ１は、光源部１１から出力されたレーザ光の光軸に直交するように配置されている。ポリゴンミラー２１は、第１回動軸Ｐ１回りの所定の回転位置でその反射面に光源１１ａから出力されたレーザ光が照射されるようになっている。ポリゴンミラー２１の反射面により反射されたレーザ光は、ビームエキスパンダ２２に導かれる。
【００２６】
ビームエキスパンダ２２は、ケプラー式の１倍のビームエキスパンダである。ビームエキスパンダ２２は、レンズ２２ａと、フィールドレンズ２２ｂと、レンズ２２ｃとを有する。ポリゴンミラー２１により反射されたレーザ光は、レンズ２２ａ、フィールドレンズ２２ｂ、およびレンズ２２ｃを介して回転ミラー２３の反射面に入射する。
【００２７】
回転ミラー２３は、ポリゴンミラー２１によって走査された光を反射することによって水平方向に走査するために用いられる。ポリゴンミラー２１が高速で垂直方向に走査するのに対し、回転ミラー２３は、ポリゴンミラー２１より低速で水平方向に走査する。回転ミラー２３は、第２回動軸Ｐ２回りに回動可能に設けられる。第２回動軸Ｐ２は、第１回動軸Ｐ１に直交するように配置されている。また、第２回動軸Ｐ２は、２次元走査光学系２０の光軸に略平行に配置されている。なお、回転ミラー２３は、ダボプリズム（Ｄｏｖｅ  Ｐｒｉｓｍ）やダブルダボプリズム（Ｄｏｕｂｌｅ  Ｄｏｖｅ  Ｐｒｉｓｍ）やローテーションプリズム（Ｒｏｔａｔｉｏｎ  Ｐｒｉｓｍ）などであってもよい。
【００２８】
ポリゴンミラー２１は、「第１走査手段」の一例であり、垂直方向は、「第１方向」の一例である。回転ミラー２３は、「第２走査手段」の一例であり、水平方向は、「第２方向」の一例である。
【００２９】
［屈折光学系３０］
屈折光学系３０は、２次元走査光学系２０により偏向された光を第１の角度範囲より広い第２の角度範囲においてさらに偏向して凹面鏡４０に向けて出射する。第２の角度範囲は、半画角で３０度以上とすることが可能である。すなわち、屈折光学系３０は、広角光学系である。また、第２の角度範囲は、半画角で４５度以上とすることが好ましい。すなわち、屈折光学系３０は、超広角光学系である。屈折光学系３０の射出側光軸Ｋは、凹面鏡４０の回転対称軸Ｃ（後述）に略一致するように配置される。
【００３０】
屈折光学系３０は、物体側（図２では凹面鏡４０側）に凸面を向けたメニスカスレンズ３１、３２と、反射ミラー３３と、像側（図２では２次元走査光学系２０側）に凸面を向けたメニスカスレンズ３４と、レンズ駆動機構３５とを有する。屈折光学系３０において、物体側から像側に、メニスカスレンズ３１、メニスカスレンズ３２、反射ミラー３３、メニスカスレンズ３４の順序で、各光学素子がその光軸上に配置されている。
【００３１】
メニスカスレンズ３１、３２により凹レンズ群が構成されている。メニスカスレンズ３４により凸レンズ群が構成されている。
【００３２】
メニスカスレンズ３１は、負の屈折力を有し、屈折光学系３０を構成する光学素子のうち凹面鏡４０に光学的に最も近い位置に配置されている。負の屈折力を有するメニスカスレンズ３１、３２を物体側から像側に順番に配置することにより、負レンズの光学的パワーを分担して、広角光学系としてより良好な光学特性を得ることが可能になる。
【００３３】
メニスカスレンズ３４は、正の屈折力を有し、屈折光学系３０を構成する光学素子のうち２次元走査光学系２０に光学的に最も近い位置に配置されている。メニスカスレンズ３４の凸面側には、２次元走査光学系２０により２次元的に走査されたレーザ光が入射する。
【００３４】
反射ミラー３３の反射面は、メニスカスレンズ３１の光軸とメニスカスレンズ３４の光軸との交差位置に配置されている。これにより、屈折光学系３０により広角光学系を構成する場合であっても、屈折光学系３０の光軸方向に短くすることができるため、屈折光学系３０が適用された眼科装置１の小型化が可能になる。
【００３５】
レンズ駆動機構３５は、屈折光学系３０の光軸方向（図２の矢印方向ｆ）にメニスカスレンズ３４を移動させる。すなわち、メニスカスレンズ３４は、屈折光学系３０の光軸方向に移動可能に構成されている。レンズ駆動機構３５は、メニスカスレンズ３４を移動させるための駆動力を発生させるアクチュエータを含む。後述の制御部２００からの制御信号を受けたアクチュエータは、この制御信号に応じた駆動力を発生させる。この駆動力は、図示しない駆動力伝達機構を介してメニスカスレンズ３４に伝達され、制御信号により指示された位置に配置されるようにメニスカスレンズ３４を移動させる。これにより、合焦機能を実現することができる。このため、視度補正が可能になる。なお、メニスカスレンズ３４を移動させることなく、コリメートレンズ１１ｂ、両凸レンズ１２ａ、および両凸レンズ１２ｂのうちいずれか１つと集光レンズ１４ａとを一体的に移動させることで合焦機能を実現することも可能である。また、ビームエキスパンダ２２を構成するレンズのいずれかを移動させることで合焦機能を実現してもよい。また、ビームスプリッタ１３とポリゴンミラー２１との間に視度調整レンズを設けることで合焦機能を実現してもよい。
【００３６】
［凹面鏡４０］
凹面鏡４０は、回転対称面の少なくとも一部に配置された反射面を有し、屈折光学系３０から出射された光を反射する。たとえば、回転対称面は、所定の直線または曲線を回転対称軸Ｃの回りに回転させることにより形成することが可能である。回転対称面の回転対称軸Ｃは、屈折光学系３０の射出側光軸Ｋに略一致するように配置される。屈折光学系３０による瞳位置（入射瞳の位置または射出瞳の位置）と凹面鏡４０の射出焦点（図２ではＦ２）とは、光学的に共役な位置またはその近傍に配置される。射出焦点は、被検眼Ｅ（具体的には、被検眼Ｅの虹彩Ｅｉの中央の瞳孔）が配置される位置である被検眼位置に配置される。
【００３７】
この実施形態では、凹面鏡４０が、楕円面ミラーであるものとして説明する。凹面鏡４０は、第１焦点Ｆ１と第２焦点Ｆ２とを有する。第１焦点Ｆ１は、屈折光学系３０による射出瞳の位置若しくはその近傍に配置されている。第２焦点Ｆ２は、被検眼位置に配置される。従って、凹面鏡４０は、屈折光学系３０から出射された光を被検眼位置に導く。
【００３８】
開口絞り１１ｃ、ポリゴンミラー２１の反射面、回転ミラー２３の反射面、第１焦点Ｆ１、および第２焦点Ｆ２は、光学的に共役な位置に配置されている。
【００３９】
また、少なくとも屈折光学系３０は、オフアクシス光学系である。すなわち、第２の角度範囲は、射出側光軸Ｋから外れた領域に設けられている。この実施形態では、２次元走査光学系２０および屈折光学系３０は、それぞれの光学系の光軸に対して半分の領域だけを使用する。これにより、被検眼Ｅによる正反射光が画像形成に用いられないため、取得された眼底Ｅｆの正面画像にゴーストなどが描出されることを抑制し、画質の劣化を防止することが可能になる。
【００４０】
以上のような構成を有する光学系１００（照射光学系１０）において、光源部１１から出力された平行光束のレーザ光は、ビームエキスパンダ１２により所定の光束径に変更された後、ビームスプリッタ１３に導かれる。光源部１１から出力されたレーザ光のうちビームスプリッタ１３を透過した成分（同じくレーザ光と呼ぶ）は、２次元走査光学系２０に導かれる。
【００４１】
２次元走査光学系２０は、ビームスプリッタ１３を透過したレーザ光を２次元的に偏向する。２次元走査光学系２０により出力されたレーザ光は、２次元的に偏向されたコリメート光である。このコリメート光は、屈折光学系３０により凹面鏡４０の反射面に向けて偏向される。凹面鏡４０は、屈折光学系３０により出射されたレーザ光を第２焦点Ｆ２に導く。第２焦点Ｆ２には、被検眼Ｅが配置されている。
【００４２】
被検眼Ｅに入射したレーザ光は、被検眼Ｅの前眼部にて散乱される。また、被検眼Ｅに入射したレーザ光の一部は、虹彩Ｅｉの中央の瞳孔を通過し、水晶体Ｅｃを透過し、眼底Ｅｆにスポット光として結像される。たとえば、屈折光学系３０の光軸方向に移動可能に構成されるメニスカスレンズ３４により変更が可能な眼底共役面Ｐｃが眼底Ｅｆと共役な位置に配置されると、レーザ光は、鮮明なスポット光を眼底Ｅｆ上に形成する。
【００４３】
眼底Ｅｆに照射されたレーザ光の戻り光（眼底戻り光と呼ぶことがある）は、スポット光の形成位置（およびその近傍）から眼科装置１に戻ってくる光である。眼底戻り光には、眼底Ｅｆによるレーザ光の散乱光（反射光や後方散乱光）、並びに、レーザ光を励起光とする蛍光およびその散乱光などが含まれる。眼底戻り光は、水晶体Ｅｃを通過し、瞳孔を通過し、被検眼Ｅから出射する。
【００４４】
一方、上記のように、被検眼Ｅに入射したレーザ光の一部は前眼部にて散乱される。この散乱光（前眼部散乱光）には角膜反射光などが含まれる。前眼部散乱光の少なくとも一部は、眼底戻り光とともに眼科装置１に戻ってくる。前眼部散乱光のうち眼科装置１に戻ってくる光を前眼部戻り光と呼ぶことがある。以下、眼底戻り光と前眼部戻り光とをまとめて（被検眼Ｅからの）戻り光と呼ぶことがある。
【００４５】
被検眼Ｅからの戻り光は、凹面鏡４０、屈折光学系３０、２次元走査光学系２０の順序で経由し、ビームスプリッタ１３に導かれる。戻り光のうちビームスプリッタ１３に反射された成分は、受光部１４に導かれる。
【００４６】
受光部１４に導かれた戻り光は、集光レンズ１４ａにより集束光とされ、共焦点ピンホール１４ｂに導かれる。共焦点ピンホール１４ｂを通過した戻り光は、受光素子１４ｃにより検出される。受光素子１４ｃは、検出された戻り光を光電変換し、電気信号（受光信号）を出力する。
【００４７】
以上のプロセスは、眼底Ｅｆの一点の計測に相当し、眼底Ｅｆに対する単一のスポット光の照射領域における計測に相当する。この実施形態では、２次元走査光学系２０による２次元的な偏向によって、眼底Ｅｆにおけるスポット光の照射領域が移動される。
【００４８】
図３に、この実施形態に係るスポット光の照射領域の説明図を示す。図３では、眼底Ｅｆにおけるスポット光の照射領域をＳＬと表す。また、図３では、視神経乳頭Ｅｆ１と、黄斑部Ｅｆ２と、血管Ｅｆ３とが図示されている。なお、図３において、図１と同様の部分には同一符号を付し、適宜説明を省略する。
【００４９】
２次元走査光学系２０によるレーザ光の２次元的な偏向によって、スポット光の照射領域ＳＬが移動される。たとえば、同方向を向く互いに平行な複数の直線状の軌跡ＳＴ１〜ＳＴＮ（１≦ｉ≦Ｎ、ｉ、Ｎは整数）に沿って、スポット光の照射領域ＳＬが移動される。なお、照射領域ＳＬの移動パターンはこれに限定されるものではない。他の移動パターンの例として、交互に逆方向を向き且つ互いに平行な複数の直線状の軌跡や、非平行な複数の直線状の軌跡や、曲線状の軌跡などがある。受光素子１４ｃは、各照射領域ＳＬからの戻り光を検出して受光信号を出力する。それにより、眼底Ｅｆの複数の位置における計測が順次に実行される。
【００５０】
このように、２次元走査光学系２０により２次元的に偏向されたレーザ光を屈折光学系３０により広角に凹面鏡４０の反射面に向けて出射させることができるため、第２焦点Ｆ２には、（２×θ）度の範囲で被検眼位置にレーザ光を照射することが可能になる。θは、たとえば６５度である。これにより、１つの凹面鏡を用いたコンパクトな装置により、広い視野での眼底Ｅｆの観察が可能になる。また、反射光学系だけではなく屈折光学系３０を用いるため、反射光学系だけでは困難であった収差補正などが可能になり、画質のより一層の向上が可能になる。さらに、この実施形態では、反射ミラー３３により屈折光学系３０の光軸を曲げるようにしたので、光学部材や駆動機構の配置の自由度が高まり、装置のより一層の小型化が可能になる。
【００５１】
上記の構成においては、簡単のために、光源部１１により出力されるレーザ光を１種類に限定しているが、光源部１１は複数種類の光を出力可能に構成されていてもよい。たとえば、出力波長が異なる複数の光源と、各光源に対応するコリメートレンズとを設け、これら光路を合流させる光学部材（ダイクロイックミラーなど）を設けた構成を適用することが可能である。また、受光部１４についても、ビームスプリッタ１３からの光路を複数に分割する光学部材（ダイクロイックミラーなど）を設け、これら光路のそれぞれに集光レンズおよび受光装置を配置した構成を適用することが可能である。
【００５２】
また、光源１１ａにより出力されるレーザ光の波長は任意である。たとえば、光源１１ａにより出力されるレーザ光として、赤外レーザ光や可視レーザ光を用いることができる。また、波長帯が異なるレーザ光を選択的に出力可能に構成することも可能である。たとえば、赤外レーザ光と可視レーザ光とを選択的に出力可能な構成を適用できる。
【００５３】
（処理系）
図１に示すように、処理系は、演算装置、制御装置、記憶装置（ＲＡＭ、ＲＯＭ、ハードディスクドライブなど）、ユーザインターフェイス、通信インターフェイスなどを有する。この実施形態では、処理系は、制御部２００と、電源部２１０と、光源制御部２２０と、画像形成部２３０と、データ処理部２４０と、ユーザインターフェイス（ＵＩ）２５０とを含む。処理系は、制御部２００を中心として構成される。
【００５４】
（制御部２００）
制御部２００は、装置各部の制御を行う。制御部２００は、マイクロプロセッサおよび記憶装置を含んで構成される。記憶装置には、眼科装置１を制御するためのコンピュータプログラムがあらかじめ格納される。このコンピュータプログラムには、光源制御用プログラム、２次元走査光学系制御用プログラム、電源制御用プログラム、統括制御用プログラムなどが含まれる。このようなコンピュータプログラムに従ってマイクロプロセッサが動作することにより、制御部２００は制御処理を実行する。
【００５５】
光学系に対する制御として、光源制御部２２０を介した光源１１ａの制御、２次元走査光学系２０の制御、メニスカスレンズ３４の移動制御などがある。処理系に対する制御として、各部の動作制御がある。
【００５６】
眼底Ｅｆの光学的計測が行われているときに、または光学的計測が終了した後に、制御部２００は、画素位置信号を生成し、画像形成部２３０に送る。画素位置信号は、２次元走査光学系制御用プログラムに基づく複数のスポット光の照射領域ＳＬの配置（つまり、２次元走査光学系２０による光の偏向パターン）に対応する複数の画素の配置を示す。
【００５７】
（電源部２１０）
電源部２１０は、商用電源や自家発電設備、バッテリなどから入力される電力に基づいて、眼科装置１の各部に電力を供給する。制御部２００は、電源部２１０を制御することにより、電力供給モードの切り替えを行う。電力供給モードとしては、通常モード、省電力モード、休止モードなどがある。
【００５８】
（光源制御部２２０）
光源制御部２２０は、制御部２００による制御の下に光源１１ａを制御する。光源１１ａの制御は、たとえば電源部２１０から供給される電力を制御することにより行われる。また、複数の光源が設けられている場合、光源制御部２２０は、制御部２００による制御の下に、複数の光源に対して選択的に電力を供給する。それにより、複数の光源が選択的に使用される。光源制御部２２０は、たとえばマイクロプロセッサおよび記憶装置を含んで構成される。また、光源制御部２２０は、専用のハードウェアを含んで構成されてもよい。
【００５９】
（画像形成部２３０）
画像形成部２３０は、受光素子１４ｃから入力される受光信号と、制御部２００から入力される画素位置信号とに基づいて、画像データを形成する。この画像データは、眼底Ｅｆの正面画像に相当する。
【００６０】
画像形成部２３０は、たとえばマイクロプロセッサおよび記憶装置を含んで構成される。記憶装置には、画像形成用プログラムがあらかじめ格納される。マイクロプロセッサが画像形成用プログラムに従って動作することによって画像形成処理の少なくとも一部が実行される。また、画像形成部２３０は、専用のハードウェアを含んで構成されてもよい。
【００６１】
画像形成部２３０は、Ａ／Ｄ変換部２３１と、眼底像形成部２３２と、メモリ部２３３とを含む。
【００６２】
Ａ／Ｄ変換部２３１は、受光素子１４ｃから入力される受光信号（アナログ信号）をデジタル信号に変換する。
【００６３】
眼底像形成部２３２は、Ａ／Ｄ変換部２３１から入力されるデジタル信号と、制御部２００から入力される画素位置信号とに基づいて、眼底Ｅｆの正面画像の画像データを形成する。この画像データ形成処理は、スポット光の各照射領域ＳＬに対応するデジタル信号に基づく情報（輝度などの画素値）と、その照射領域ＳＬに対応する画素位置とを関連付ける処理を含む。
【００６４】
メモリ部２３３は、画像形成部２３０の内部メモリとして機能し、眼底像形成部２３２により形成された画像データを一時的に記憶する。なお、メモリ部２３３の適用は任意である。画像形成部２３０により形成された画像データは、制御部２００に送られる。
【００６５】
（データ処理部２４０）
データ処理部２４０は、各種のデータ処理を実行する。データ処理の例として、画像形成部２３０または他の装置により形成された画像データに対する処理がある。この処理の例として、各種の画像処理や、画像データに基づく画像評価などの診断支援処理がある。
【００６６】
データ処理部２４０は、眼科装置１の一部であってもよいし、外部装置であってもよい。前者の場合、データ処理部２４０は、たとえばマイクロプロセッサおよび記憶装置を含んで構成される。記憶装置には、１つ以上のデータ処理用プログラムがあらかじめ格納される。マイクロプロセッサがデータ処理用プログラムに従って動作することによりデータ処理が実行される。また、データ処理部２４０は、専用のハードウェアを含んで構成されてもよい。
【００６７】
後者の場合、データ処理部２４０は、コンピュータを含んで構成される。このコンピュータの例として、パーソナルコンピュータ、スマートフォン、タブレット端末、携帯情報端末（ＰＤＡ）、サーバなどがある。制御部２００は、このコンピュータと通信するためのインターフェイスを有する。コンピュータが表示機能を有する場合、外部装置としてのデータ処理部２４０は、制御部２００から送信された情報に基づく表示処理を実行する。この表示処理の対象の例として、画像データに基づく画像、撮影日時情報、撮影条件（スキャン条件、光源１１ａの種別、撮影光量など）がある。また、コンピュータがデータベース機能を有する場合、データ処理部２４０は、制御部２００から送信された情報の保管処理を実行する。データ処理部２４０による処理結果を眼科装置１（制御部２００）や他の装置に送信することができる。
【００６８】
なお、前者の場合においても後者の場合においても、データ処理部２４０の機能は上記に限定されるものではない。
【００６９】
（ユーザインターフェイス２５０）
ユーザインターフェイス２５０は、表示機能と、操作・入力機能とを有する。表示機能は、液晶ディスプレイ（Ｌｉｑｕｉｄ  Ｃｒｙｓｔａｌ  Ｄｉｓｐｌａｙ：以下、ＬＣＤ）などの表示デバイスにより実現される。表示デバイスは、制御部２００による制御の下に情報を表示する。
【００７０】
操作・入力機能は、操作デバイスや入力デバイスにより実現される。これらの例として、ボタン、レバー、ノブ、マウス、キーボード、トラックボールなどがある。また、制御部２００が表示デバイスにグラフィカルユーザーインターフェース（ＧＵＩ）を表示させる構成としてもよい。この表示デバイスは、タッチスクリーンであってよい。
【００７１】
〈処理系の構成例>
図４に、眼科装置１の処理系の構成例の機能ブロック図を示す。図４においては、実施形態の動作の説明に不要な部分は省略されている。なお、図４において、図１または図２と同様の部分には同一符号を付し、適宜説明を省略する。
【００７２】
制御部２００は、装置各部の制御を含む各種処理を実行する。制御部２００は、走査制御部２０１と、合焦制御部２０２とを有する。
【００７３】
走査制御部２０１は、２次元走査光学系２０を制御することによりレーザ光を２次元的に偏向してレーザ光の２次元的走査を行う。その具体例として、走査制御部２０１は、ポリゴンミラー２１を第１回動軸Ｐ１回りに回動させ、且つ、ポリゴンミラー２１の回動に合わせて回転ミラー２３を第２回動軸Ｐ２回りに回動させる。これにより、走査制御部２０１は、図３に示すようなレーザ光によるスポット光の照射領域ＳＬの２次元的な走査を制御する。
【００７４】
合焦制御部２０２は、レンズ駆動機構３５を制御することによりメニスカスレンズ３４を所望の位置に移動させる。その具体例として、合焦制御部２０２は、ユーザインターフェイス２５０を介してユーザにより指定された合焦状態となるように、屈折光学系３０の光軸上の任意の位置にメニスカスレンズ３４を移動させる。すなわち、ユーザインターフェイス２５０を介してユーザによる指定を受けて、合焦制御部２０２は、レンズ駆動機構３５のアクチュエータに対して制御信号を送る。レンズ駆動機構３５のアクチュエータは、この制御信号に応じた駆動力を発生させて、メニスカスレンズ３４を指定された位置に移動させる。
【００７５】
データ処理部２４０は、画像処理部２４１を含む。画像処理部２４１は、画像形成部２３０により形成された眼底Ｅｆの正面画像に対して所定の画像処理を施す。なお、眼科装置１が他の形態の画像（たとえば、前眼部像、ＯＣＴなどによる断層像）を形成する機能を有している場合、画像処理部２４１は、この画像に対して所定の画像処理を施すことができる。また、眼科装置１が他の装置により取得された画像を受け付ける機能を有している場合、画像処理部２４１は、この画像に対して所定の画像処理を施すことができる。
【００７６】
<動作例>
眼科装置１の動作例について説明する。
【００７７】
ユーザインターフェイス２５０を用いてユーザにより所望の合焦状態となるように指示が行われると、合焦制御部２０２は、この指示内容に応じた制御信号をレンズ駆動機構３５に送る。レンズ駆動機構３５は、この制御信号を受けてメニスカスレンズ３４を指示された位置に移動させる。
【００７８】
続いて、ユーザインターフェイス２５０を用いたユーザによるスキャン開始指示などの所定のトリガを受けて、制御部２００は、光源制御部２２０を制御することにより光源部１１からレーザ光を出力させる。また、制御部２００は、走査制御部２０１により２次元走査光学系２０を制御することにより、光源部１１から出力されたレーザ光で眼底Ｅｆをスキャンする。
【００７９】
眼底Ｅｆにレーザ光が照射されると、上記したように、その戻り光が受光部１４（受光素子１４ｃ）で受光される。受光素子１４ｃは、受光信号を画像形成部２３０に送る。
【００８０】
画像形成部２３０は、入力された受光信号を用いて、眼底Ｅｆの正面画像を形成する。制御部２００は、画像形成部２３０により形成された正面画像をユーザインターフェイス２５０の表示デバイスに表示させることができる。
【００８１】
また、制御部２００は、形成された正面画像を画像処理部２４１に送る。画像処理部２４１は、制御部２００から入力された正面画像に基づいて加工画像を形成する。加工画像は制御部２００に送られる。制御部２００は、画像形成部２３０により形成された正面画像や、画像処理部２４１により形成された加工画像を、ユーザインターフェイス２５０の表示デバイスに表示させる。このときの表示態様は任意である。たとえば、制御部２００は、ユーザが指示した正面画像を選択的に表示させることができる。また、加工画像と、その形成処理に供された正面画像とを並べて表示させることができる。
【００８２】
［作用・効果］
眼科装置１の作用および効果について説明する。
【００８３】
眼科装置１は、２次元走査光学系２０と、屈折光学系３０と、凹面鏡４０とを有する。２次元走査光学系２０は、光源１１ａからの光を第１の角度範囲において偏向する。屈折光学系３０は、２次元走査光学系２０により偏向された光を第１の角度範囲より広い第２の角度範囲において偏向する。凹面鏡４０は、回転対称面の少なくとも一部に配置された反射面を有し、屈折光学系３０から出射された光を反射する。屈折光学系３０の射出側光軸Ｋは、回転対称面の回転対称軸Ｃに略一致するように配置される。屈折光学系３０による瞳位置（入射瞳の位置または射出瞳の位置）と凹面鏡４０の射出焦点（第２焦点Ｆ２）とは、光学的に共役な位置またはその近傍に配置される。射出焦点（第２焦点Ｆ２）は、被検眼位置に配置される。
【００８４】
このような眼科装置１によれば、２次元走査光学系２０により２次元的に偏向されたレーザ光を屈折光学系３０により広角に凹面鏡４０の反射面に向けて出射させることができる。そのため、凹面鏡４０の射出焦点（第２焦点Ｆ２）には、（２×θ）度の範囲で被検眼Ｅにレーザ光を照射することが可能になる。これにより、１つの凹面鏡を用いたコンパクトな装置により、広い視野での眼底Ｅｆの観察が可能になる。また、反射光学系だけではなく屈折光学系３０を用いているため、収差補正などが可能になり、画質のより一層の向上が可能になる。
【００８５】
また、眼科装置１は、受光部１４を含んでもよい。受光部１４は、凹面鏡４０、屈折光学系３０、および２次元走査光学系２０をこの順に経由した、被検眼位置からの戻り光を受光する。さらに、２次元走査光学系２０は、ポリゴンミラー２１（第１走査手段）と、回転ミラー２３（第２走査手段）とを含んでもよい。ポリゴンミラー２１は、第１回動軸Ｐ１回りに回動可能に設けられ、光源１１ａからの光を反射することによって垂直方向（第１方向）に走査するために用いられる。回転ミラー２３は、第１回動軸Ｐ１に直交する第２回動軸Ｐ２回りに回動可能に設けられ、ポリゴンミラー２１により走査された光を反射することによって垂直方向に直交する水平方向（第２方向）に走査するために用いられる。ポリゴンミラー２１の反射面と回転ミラー２３の反射面とは、光学的に共役な位置に配置されている。
【００８６】
また、回転ミラー２３の第２回動軸Ｐ２は、２次元走査光学系２０の光軸に略平行に配置されていてもよい。この場合、２次元走査光学系２０において、戻り光による画質の劣化を防止することが可能になる。
【００８７】
さらに、屈折光学系３０は、メニスカスレンズ３１（第１光学素子）と、メニスカスレンズ３４（第２光学素子）とを含んでもよい。メニスカスレンズ３１は、凹面鏡４０に光学的に最も近い位置に配置される。メニスカスレンズ３４は、２次元走査光学系２０に光学的に最も近い位置に配置される。メニスカスレンズ３４は、屈折光学系３０の光軸方向に移動可能に構成されている。これにより、視度補正が可能になる。
【００８８】
さらに、屈折光学系３０は、反射ミラー３３（反射手段）を含んでもよい。反射ミラー３３は、メニスカスレンズ３１の光軸とメニスカスレンズ３４の光軸との交差位置に反射面が配置される。この場合、反射ミラー３３により屈折光学系３０の光軸を曲げるようにしたので、光学部材や駆動機構の配置の自由度が高まり、眼科装置１のより一層の小型化が可能になる。
【００８９】
〔第２実施形態〕
第１実施形態では、２次元走査光学系２０が、光源１１ａから出力されたレーザ光をポリゴンミラー２１で垂直方向に偏向しながら回転ミラー２３で水平方向に偏向する場合について説明したが、これに限定されるものではない。第２実施形態では、２次元走査光学系が、光源から出力されたレーザ光を回転ミラーで水平方向に偏向しながらポリゴンミラーで垂直方向に偏向する場合について説明する。
【００９０】
第２実施形態に係る眼科装置の構成は、光学系の構成を除いて第１実施形態と同様である。以下では、第２実施形態に係る眼科装置について、第１実施形態との相違点を中心に説明する。
【００９１】
図５に、第２実施形態に係る光学系の概略構成を示す。図５において、図２と同様の部分には同一符号を付し、適宜説明を省略する。
【００９２】
第２実施形態に係る光学系１００ａは、第１実施形態と同様に、照射光学系を有する。第２実施形態に係る光学系１００ａが第１実施形態に係る光学系１００と異なる点は、２次元走査光学系２０ａと屈折光学系３０ａである。２次元走査光学系２０ａは、２次元走査光学系２０に代えて配置される。屈折光学系３０ａは、屈折光学系３０に代えて配置される。
【００９３】
２次元走査光学系２０ａは、ポリゴンミラー２１と、ビームエキスパンダ２２と、回転ミラー２３とを有する。
【００９４】
回転ミラー２３は、光源部１１から出力されたレーザ光を反射することによって水平方向に走査するために用いられる。回転ミラー２３は、第１回動軸Ｐ１回りに回動可能に設けられる。第１回動軸Ｐ１は、２次元走査光学系２０ａの光軸に略平行に配置されている。回転ミラー２３の反射面には、光源部１１から出力されたレーザ光が照射される。回転ミラー２３により反射されたレーザ光は、ビームエキスパンダ２２に導かれる。
【００９５】
ポリゴンミラー２１は、回転ミラー２３によって走査された光を反射することによって垂直方向に走査するために用いられる。ポリゴンミラー２１は、それぞれが第２回動軸Ｐ２と略平行に設けられた複数の反射面を有し、第２回動軸Ｐ２回りに回動可能に設けられる。第２回動軸Ｐ２は、第１回動軸Ｐ１に直交するように配置されている。
【００９６】
この実施形態では、回転ミラー２３は、「第１走査手段」の一例であり、ポリゴンミラー２１は、「第２走査手段」の一例である。
【００９７】
屈折光学系３０ａは、２次元走査光学系２０ａにより偏向された光を第１の角度範囲より広い第２の角度範囲において偏向して凹面鏡４０に向けて出射する。第２の角度範囲は、半画角で３０度以上とすることが可能である。すなわち、屈折光学系３０ａは、広角光学系である。また、第２の角度範囲は、半画角で４５度以上とすることが好ましい。すなわち、屈折光学系３０ａは、超広角光学系である。屈折光学系３０ａの射出側光軸Ｋは、凹面鏡４０の回転対称軸Ｃに略一致するように配置される。
【００９８】
屈折光学系３０ａは、物体側に凸面を向けたメニスカスレンズ３１、３２と、像側に凸面を向けたメニスカスレンズ３４と、レンズ駆動機構３５とを有する。すなわち、屈折光学系３０ａは、屈折光学系３０から反射ミラー３３が省略された構成を有する。
【００９９】
第１実施形態に係る眼科装置１における光学系１００に代えて光学系１００ａを適用することにより、第２実施形態に係る眼科装置を構成することが可能である。このような光学系１００ａを備えた眼科装置の動作は、第１実施形態と同様である。従って、図５に示す光学系１００ａを備えた眼科装置によれば、第１実施形態と同様の効果を得ることが可能である。
【０１００】
なお、第１実施形態および第２実施形態において、ポリゴンミラー２１が水平方向に走査するために用いられ、回転ミラー２３が垂直方向に走査するために用いられてもよい。
【０１０１】
［作用・効果］
この実施形態に係る眼科装置の作用および効果について説明する。
【０１０２】
この実施形態に係る眼科装置は、２次元走査光学系２０ａと、屈折光学系３０ａと、凹面鏡４０とを有する。２次元走査光学系２０ａは、回転ミラー２３（第１走査手段）と、ポリゴンミラー２１（第２走査手段）とを有する。回転ミラー２３は、第１回動軸Ｐ１回りに回動可能に設けられ、光源１１ａからの光を反射することによって水平方向に走査するために用いられる。ポリゴンミラー２１は、第２回動軸Ｐ２回りに回動可能に設けられ、回転ミラー２３により走査された光を反射することによって垂直方向に走査するために用いられる。このように、光源１１ａからの光を反射することによって所定の方向に走査するための走査手段は、回転ミラーであってもよい。この場合でも、回転ミラーの回動軸は、２次元走査光学系の光軸に略平行に配置されている。
【０１０３】
このような眼科装置によれば、２次元走査光学系２０ａにより走査されたレーザ光を屈折光学系３０ａにより広角に凹面鏡４０の反射面に向けて出射させることができる。そのため、凹面鏡４０の射出焦点（第２焦点Ｆ２）には、（２×θ）度の範囲で被検眼Ｅにレーザ光を照射することが可能になる。これにより、１つの凹面鏡を用いたコンパクトな装置により、広い視野での眼底Ｅｆの観察が可能になる。また、反射光学系だけではなく屈折光学系３０ａを用いているため、収差補正などが可能になり、画質のより一層の向上が可能になる。
【０１０４】
〔第３実施形態〕
第１実施形態および第２実施形態では、光学系が眼底Ｅｆの正面画像を観察するための照射光学系のみを含んで構成された場合について説明したが、第３実施形態では光学系が固視光学系をさらに含んで構成された場合について説明する。
【０１０５】
第３実施形態に係る眼科装置の構成は、第１実施形態とほぼ同様である。以下では、第３実施形態に係る眼科装置について、第１実施形態との相違点を中心に説明する。
【０１０６】
図６に、第３実施形態に係る眼科装置の概略構成の機能ブロック図を示す。図６において、図１と同様の部分には同一符号を付し、適宜説明を省略する。
図７に、図６の光学系の概略構成を示す。図７において、図２と同様の部分には同一符号を付し、適宜説明を省略する。
【０１０７】
第３実施形態に係る眼科装置１ｂが第１実施形態に係る眼科装置１と異なる点は、光学系１００ｂと制御部２００ｂである。光学系１００ｂは、光学系１００に代えて配置される。制御部２００ｂは、制御部２００に代えて配置される。光学系１００ｂは、照射光学系１０と、固視光学系５０とを有する。
【０１０８】
固視光学系５０は、被検眼Ｅに固視標を投影するための光学系である。固視光学系５０は、図７に示すように、レンズ５１と、平凸レンズ５２と、ＬＣＤ５３とを有する。ＬＣＤ５３は、制御部２００ｂからの制御に従って固視標を表示する。固視標は、被検眼Ｅを固視させるための指標である。
【０１０９】
固視光学系５０は、２次元走査光学系２０による走査が行われないとき、被検眼Ｅに固視標を投影する。そのため、走査が行われないとき、回転ミラー２３は、制御部２００ｂの走査制御部２０１からの制御に従って、固視標を投影するための所定の回転停止位置で停止される。固視光学系５０は、この回転停止位置で停止された回転ミラー２３の反射面に、固視標を投影するための光を入射させる。ＬＣＤ５３の所定の表示位置に固視標が表示されたとき、回転停止位置で停止された回転ミラー２３の反射面によって反射された光（固視標を投影するための光）が、２次元走査光学系２０による走査範囲内の中心位置になるように、固視光学系５０は配置される。
【０１１０】
ＬＣＤ５３から出力された光は、平凸レンズ５２、およびレンズ５１を介して、回転停止位置で停止された回転ミラー２３の反射面にて反射された後、反射ミラー３３にて反射され、メニスカスレンズ３２、３１により偏向されて眼底Ｅｆに投影される。
【０１１１】
制御部２００ｂは、たとえば、ユーザインターフェイス２５０を用いたユーザからの指示内容に対応した画面上の表示位置に、所定の固視標をＬＣＤ５３に表示させる。ＬＣＤ５３の画面上における固視標の表示位置を変更することにより、被検眼Ｅの固視位置を変更することが可能である。被検眼Ｅの固視位置としては、たとえば、眼底Ｅｆの黄斑部を中心とする画像を取得するための位置や、視神経乳頭を中心とする画像を取得するための位置や、黄斑部と視神経乳頭との間の眼底中心を中心とする画像を取得するための位置などがある。また、固視標の表示位置を任意に変更することも可能である。
【０１１２】
［作用・効果］
この実施形態に係る眼科装置１ｂの作用および効果について説明する。
【０１１３】
眼科装置１ｂは、２次元走査光学系２０と、屈折光学系３０と、凹面鏡４０とを有する。眼科装置は、固視光学系５０（第１光学系）をさらに含んでもよい。固視光学系５０は、被検眼Ｅに固視標を投影するための光学系である。このような眼科装置１ｂによれば、１つの凹面鏡を用いたコンパクトな装置により、眼底Ｅｆ上の所望の位置に固視標を投影しながら、広い視野での眼底Ｅｆの正面画像の取得が可能になる。
【０１１４】
〔第４実施形態〕
第３実施形態では、反射ミラー３３を用いた屈折光学系３０により固視標を被検眼Ｅに投影する場合について説明したが、これに限定されるものではない。第４実施形態では、屈折光学系にハーフミラーを設け、ハーフミラーの透過方向に固視光学系が配置された場合について説明する。なお、光源部１１から出力されるレーザ光が赤外光のみである場合などには、このハーフミラーの代わりに、ダイクロイックミラーを設けることができる。
【０１１５】
第４実施形態に係る眼科装置の構成は、光学系の構成を除いて第３実施形態とほぼ同様である。以下では、第４実施形態に係る眼科装置について、第３実施形態との相違点を中心に説明する。
【０１１６】
図８に、第４実施形態に係る光学系の概略構成を示す。図８において、図７と同様の部分には同一符号を付し、適宜説明を省略する。
【０１１７】
第４実施形態に係る光学系１００ｃが第３実施形態に係る光学系１００ｂと異なる点は、屈折光学系３０ｃと固視光学系５０である。屈折光学系３０ｃは、屈折光学系３０に代えて配置される。固視光学系５０は、屈折光学系３０ｃが備えるハーフミラーの透過方向に配置される。
【０１１８】
屈折光学系３０ｃは、２次元走査光学系２０により偏向された光を第１の角度範囲より広い第２の角度範囲においてさらに偏向して凹面鏡４０に向けて出射する。第２の角度範囲は、半画角で３０度以上とすることが可能である。すなわち、屈折光学系３０ｃは、広角光学系である。また、第２の角度範囲は、半画角で４５度以上とすることが好ましい。すなわち、屈折光学系３０ｃは、超広角光学系である。屈折光学系３０ｃの射出側光軸Ｋは、凹面鏡４０の回転対称軸Ｃに略一致するように配置される。
【０１１９】
屈折光学系３０ｃは、物体側に凸面を向けたメニスカスレンズ３１、３２と、ビームスプリッタとしてのハーフミラー３３ｃと、像側に凸面を向けたメニスカスレンズ３４、３６と、レンズ駆動機構３５ｃとを有する。
【０１２０】
ハーフミラー３３ｃは、メニスカスレンズ３１とメニスカスレンズ３４の間であって、さらに、メニスカスレンズ３１とメニスカスレンズ３６の間に配置される。ハーフミラー３３ｃは、屈折光学系３０ｃの光路と固視光学系５０の光路とを合成し、屈折光学系３０ｃの光路と２次元走査光学系２０の光路とを合成する。ハーフミラー３３ｃの反射面は、メニスカスレンズ３１の光軸とメニスカスレンズ３４の光軸との交差位置に配置されている。ハーフミラー３３ｃの反射方向には、メニスカスレンズ３４が配置されている。ハーフミラー３３ｃの透過方向には、メニスカスレンズ３６が配置されている。ハーフミラー３３ｃは、「第１ビームスプリッタ」の一例である。
【０１２１】
メニスカスレンズ３６は、正の屈折力を有し、屈折光学系３０ｃを構成する光学素子のうち固視光学系５０に光学的に最も近い位置に配置されている。メニスカスレンズ３６の凸面側には、固視光学系５０からの光が入射する。メニスカスレンズ３６は、メニスカスレンズ３４と同様に、ハーフミラー３３ｃの透過方向の光軸方向（図８の矢印方向ｇ）に移動可能に構成される。
【０１２２】
レンズ駆動機構３５ｃは、ハーフミラー３３ｃの反射方向の光軸方向（図８の矢印方向ｆ）にメニスカスレンズ３４を移動させる。また、レンズ駆動機構３５ｃは、ハーフミラー３３ｃの透過方向にメニスカスレンズ３６を移動させる。レンズ駆動機構３５ｃは、メニスカスレンズ３４、３６を移動させるための駆動力を発生させる１以上のアクチュエータを含む。この実施形態に係る制御部（合焦制御部）からの制御信号を受けたアクチュエータは、この制御信号に応じた駆動力を発生させる。この駆動力は、図示しない駆動力伝達機構を介してメニスカスレンズ３４、３６の一方または双方に伝達され、制御信号により指示された位置に配置されるようにメニスカスレンズ３４、３６を移動させる。これにより、光路長の変更が可能になり、合焦機能を実現することができる。
【０１２３】
この実施形態では、固視光学系５０におけるＬＣＤ５３から出力された光は、平凸レンズ５２、レンズ５１を介して、屈折光学系３０ｃにより偏向されて眼底Ｅｆに投影される。被検眼Ｅからの戻り光は、ハーフミラー３３ｃの反射方向に反射され、第１実施形態と同様に、受光部１４にて受光される。
【０１２４】
［作用・効果］
この実施形態に係る眼科装置の作用および効果について説明する。
【０１２５】
この実施形態に係る眼科装置は、２次元走査光学系２０と、屈折光学系３０ｃと、凹面鏡４０とを有する。屈折光学系３０ｃは、２次元走査光学系２０により偏向された光を第１の角度範囲より広い第２の角度範囲において偏向する。凹面鏡４０は、回転対称面の少なくとも一部に配置された反射面を有し、屈折光学系３０ｃから出射された光を反射する。屈折光学系３０ｃの射出側光軸Ｋは、回転対称面の回転対称軸Ｃに略一致するように配置される。屈折光学系３０ｃによる瞳位置（入射瞳の位置または射出瞳の位置）と凹面鏡４０の射出焦点（第２焦点Ｆ２）とは、光学的に共役な位置またはその近傍に配置される。射出焦点（第２焦点Ｆ２）は、被検眼位置に配置される。眼科装置は、第１光学系と、ハーフミラー３３ｃ（ビームスプリッタ）とをさらに含んでもよい。第１光学系は、被検眼Ｅに光を照射するための光学系である。ハーフミラー３３ｃは、メニスカスレンズ３１とメニスカスレンズ３４との間に配置される。ハーフミラー３３ｃは、屈折光学系３０ｃの光路と第１光学系の光路とを合成する。第１光学系は、被検眼Ｅに固視標を投影するための固視光学系５０を含んでもよい。
【０１２６】
このような眼科装置によれば、１つの凹面鏡を用いたコンパクトな装置により、眼底Ｅｆ上の所望の位置に固視標を投影しながら、広い視野での眼底Ｅｆの正面画像の取得が可能になる。
【０１２７】
〔第５実施形態〕
第３実施形態または第４実施形態では、光学系が、照射光学系の他に固視光学系を備えた場合について説明したが、これに限定されるものではない。第５実施形態では、光学系が、照射光学系の他に固視光学系およびＯＣＴ光学系を備えた場合について説明する。
【０１２８】
第５実施形態に係る眼科装置の構成は、光学系の構成を除いて第３実施形態とほぼ同様である。以下では、第５実施形態に係る眼科装置について、第３実施形態との相違点を中心に説明する。
【０１２９】
図９に、第５実施形態に係る眼科装置の概略構成の機能ブロック図を示す。図９において、図６と同様の部分には同一符号を付し、適宜説明を省略する。
図１０に、図９の光学系の概略構成を示す。図１０において、図７と同様の部分には同一符号を付し、適宜説明を省略する。
図１１に、図１０のＯＣＴ光学系の概略構成を示す。図１１は、図１０のビームスプリッタ１５も合わせて図示している。
【０１３０】
第５実施形態に係る眼科装置１ｄが第３実施形態に係る眼科装置１ｂと異なる点は、光学系１００ｄと制御部２００ｄと光源制御部２２０ｄと画像形成部２３０ｄである。光学系１００ｄは、光学系１００ｂに代えて配置される。制御部２００ｄは、制御部２００ｂに代えて配置される。光源制御部２２０ｄは、光源制御部２２０に代えて配置される。画像形成部２３０ｄは、画像形成部２３０に代えて配置される。
【０１３１】
光学系１００ｄは、照射光学系１０と、固視光学系５０と、ＯＣＴ光学系６０とを有する。ＯＣＴ光学系６０は、ＯＣＴにより被検眼Ｅの画像を取得するための光学系である。このような光学系１００ｄは、図１０に示すように、２次元走査光学系２０とビームスプリッタ１３との間にビームスプリッタ１５が配置され、且つ、ビームスプリッタ１５の反射方向にＯＣＴ光学系６０が配置される。
【０１３２】
ＯＣＴ光学系６０は、光学的な走査により取得されるデータ（後述の検出部６６により検出されるデータ）に基づいて眼底Ｅｆの断層画像を形成するための光学系である。ＯＣＴ光学系６０は、図１１に示すように、光源６１と、光カプラ６２と、コリメートレンズユニット６３、６４と、参照ミラー６５と、検出部６６とを有する。ＯＣＴ光学系６０は、光源６１から出力された低コヒーレンス光Ｌ０を参照光ＬＲと信号光ＬＳとに分割し、参照物体としての参照ミラー６５を経由した参照光ＬＲと被測定物体としての眼底Ｅｆを経由した信号光ＬＳとを重畳して干渉光ＬＣを生成する。画像形成部２３０ｄは、干渉光ＬＣに対応した信号を解析して被測定物体（眼底Ｅｆ）の画像を形成する。
【０１３３】
光源６１は、低コヒーレンス光Ｌ０を出力するスーパールミネセントダイオード（ＳＬＤ）や発光ダイオード（ＬＥＤ）等の広帯域光源により構成されている。低コヒーレンス光Ｌ０は、たとえば、近赤外領域の波長を有し、かつ、数十マイクロメートル程度の時間的コヒーレンス長を有する光とされる。光源６１から出力される低コヒーレンス光Ｌ０は、照射光学系１０の光源１１ａから出力されるレーザ光よりも長い波長、たとえば約８００ｎｍ〜９００ｎｍの範囲に含まれる波長を有している。
【０１３４】
光源６１から出力された低コヒーレンス光Ｌ０は、たとえばシングルモードファイバないしは偏波面保持ファイバからなる光ファイバを通じて光カプラ（ｃｏｕｐｌｅｒ）６２に導かれる。光カプラ６２は、低コヒーレンス光Ｌ０を参照光ＬＲと信号光ＬＳとに分割する。なお、光カプラ６２は、光を分割する手段（スプリッタ：ｓｐｌｉｔｔｅｒ）、および、光を重畳する手段（カプラ）の双方の作用を有するが、ここでは慣用的に「光カプラ」と称することにする。
【０１３５】
光カプラ６２により生成された参照光ＬＲは、シングルモードファイバ等からなる光ファイバにより導光されてファイバ端面から出射される。出射された参照光ＬＲは、コリメートレンズユニット６３により平行光束とされた後、参照ミラー６５によって反射される。参照ミラー６５により反射された参照光ＬＲは、コリメートレンズユニット６３により光ファイバのファイバ端面に集光される。集光された参照光ＬＲは、光ファイバを通じて光カプラ６２に導かれる。
【０１３６】
参照ミラー６５は、参照光ＬＲの進行方向の光軸方向（図１１の矢印方向ｈ）に移動されるように構成されている。それにより、被検眼Ｅの眼軸長などに応じた参照光ＬＲの光路長を確保するようになっている。なお、この参照ミラー６５の移動は、アクチュエータを含んで構成される駆動機構（図示せず）によって行われる。
【０１３７】
光カプラ６２により生成された信号光ＬＳは、シングルモードファイバ等からなる光ファイバにより導光されてファイバ端面から出射される。このファイバ端面は、被検眼Ｅの眼底Ｅｆと光学的に共役な位置に配置される。出射された信号光ＬＳは、コリメートレンズユニット６４により平行光束とされた後、ビームスプリッタ１５によって反射され、２次元走査光学系２０に向かう。
【０１３８】
２次元走査光学系２０に向かう信号光ＬＳは、上記したように、被検眼位置に導かれる。被検眼位置に配置された被検眼Ｅに入射した信号光ＬＳは、眼底（網膜）Ｅｆ上にて結像し反射される。このとき、信号光ＬＳは、眼底Ｅｆの表面で反射されるだけでなく、眼底Ｅｆの深部領域にも到達して屈折率境界において散乱される。従って、眼底Ｅｆを経由した信号光ＬＳは、眼底Ｅｆの表面形態を反映する情報と、眼底深部組織の屈折率境界における後方散乱の状態を反映する情報とを含んだ光となる。この光を単に「信号光ＬＳの眼底反射光」と呼ぶことがある。
【０１３９】
信号光ＬＳの眼底反射光は、上記経路を逆向きに進行してビームスプリッタ１５により反射されてＯＣＴ光学系６０に入射し、コリメートレンズユニット６４によりファイバ端面に集光され、光カプラ６２に戻ってくる。光カプラ６２は、この信号光ＬＳと、参照ミラー６５にて反射された参照光ＬＲとを重畳して干渉光ＬＣを生成する。生成された干渉光ＬＣは、シングルモードファイバ等からなる光ファイバを通じて検出部６６に導光される。
【０１４０】
なお、この実施形態においては、上記のようにマイケルソン型の干渉計を採用しているが、たとえばマッハツェンダー型など任意のタイプの干渉計を適宜に採用することが可能である。
【０１４１】
検出部６６は、たとえば、コリメートレンズと、回折格子と、結像レンズと、ＣＣＤ（Ｃｈａｒｇｅ  Ｃｏｕｐｌｅｄ  Ｄｅｖｉｃｅ）とを含んで構成される。検出部６６に入射した干渉光ＬＣは、コリメータレンズにより平行光束とされた後、回折格子によって分光（スペクトル分解）される。分光された干渉光ＬＣは、結像レンズによってＣＣＤの撮像面上に結像される。ＣＣＤは、この干渉光ＬＣを受光して電気的な検出信号に変換し、この検出信号を画像形成部２３０ｄに出力する。
【０１４２】
なお、図１１では、ＯＣＴ光学系６０は、スペクトラルドメインタイプの光学系を有するものとして説明したが、スウェプトソースタイプの光学系を有していてもよい。この場合、光源６１には波長掃引光源が設けられるとともに、検出部６６には干渉光をスペクトル分解する光学部材ではなくフォトディテクタが設けられる。検出部６６は、フォトディテクタの検出結果（検出信号）を画像形成部２３０ｄに送る。画像形成部２３０ｄは、たとえばＡスキャンライン毎に、フォトディテクタの検出結果に基づくスペクトル分布にフーリエ変換等を施すことで断層画像を形成する。なお、ＯＣＴ光学系６０の構成については、ＯＣＴのタイプに応じた公知の技術を任意に適用することができる。
【０１４３】
〈処理系の構成例>
図１２に、眼科装置１ｄの処理系の構成例の機能ブロック図を示す。図１２においては、実施形態の動作の説明に不要な部分は省略されている。なお、図１２において、図４、図９〜図１１と同様の部分には同一符号を付し、適宜説明を省略する。
【０１４４】
制御部２００ｄは、装置各部の制御を含む各種処理を実行する。制御部２００ｄは、走査制御部２０１ｄと、合焦制御部２０２と、ＯＣＴ制御部２０３とを有する。
【０１４５】
走査制御部２０１ｄは、走査制御部２０１と同様に、２次元走査光学系２０を制御することによりレーザ光の２次元的走査を行う。その具体例として、走査制御部２０１ｄは、ポリゴンミラー２１を第１回動軸Ｐ１回りに回動させ、且つ、ポリゴンミラー２１の回動に合わせて回転ミラー２３を第２回動軸Ｐ２回りに回動させる。
【０１４６】
ＯＣＴ制御部２０３は、図示しない駆動機構を制御することにより参照ミラー６５を所望の位置に移動させる。その具体例として、ＯＣＴ制御部２０３は、ユーザインターフェイス２５０を介したユーザによる指示内容に対応した光路長となるように、参照ミラー６５を移動させる。すなわち、ユーザインターフェイス２５０を介してユーザによる指定を受けて、ＯＣＴ制御部２０３は、駆動機構のアクチュエータに対して制御信号を送る。この駆動機構のアクチュエータは、この制御信号に応じた駆動力を発生させて、参照ミラー６５を指定された位置に移動させる。
【０１４７】
光源制御部２２０ｄは、制御部２００ｄによる制御の下に光源１１ａ、６１を制御する。光源１１ａ、６１の制御は、たとえば電源部２１０から供給される電力を制御することにより行われる。光源制御部２２０ｄは、たとえばマイクロプロセッサおよび記憶装置を含んで構成される。また、光源制御部２２０ｄは、専用のハードウェアを含んで構成されてもよい。
【０１４８】
画像形成部２３０ｄは、受光素子１４ｃから入力される受光信号と、制御部２００ｄから入力される画素位置信号とに基づいて、画像データを形成する。この画像データは、眼底Ｅｆの正面画像に相当する。また、画像形成部２３０ｄは、干渉光ＬＣに対応した信号を解析して被測定物体（眼底Ｅｆ）の画像を形成する。画像形成部２３０ｄは、たとえばマイクロプロセッサおよび記憶装置を含んで構成される。また、画像形成部２３０ｄは、専用のハードウェアを含んで構成されてもよい。
【０１４９】
なお、第５実施形態では、光学系１００ｄが照射光学系１０とＯＣＴ光学系６０とを備え、図１０に示す光学系１００ｄから固視光学系５０が省略された構成であってもよい。
【０１５０】
以上のような眼科装置１ｄの動作は、第３実施形態と同様であるため、説明を省略する。
【０１５１】
［作用・効果］
この実施形態に係る眼科装置１ｄの作用および効果について説明する。
【０１５２】
眼科装置１ｄは、２次元走査光学系２０と、屈折光学系３０と、凹面鏡４０とを有する。眼科装置１ｄは、第２光学系と、ビームスプリッタ１５（第２ビームスプリッタ）とをさらに含んでもよい。第２光学系は、被検眼Ｅに光を照射するための光学系である。ビームスプリッタ１５は、光源１１ａと２次元走査光学系２０との間に配置される。ビームスプリッタ１５は、光源１１ａからの光の光路と第２光学系の光路とを合成する。第２光学系は、ＯＣＴにより被検眼Ｅの画像を取得するためのＯＣＴ光学系６０を含んでもよい。
【０１５３】
このような眼科装置１ｄによれば、２次元走査光学系２０により走査された光を屈折光学系３０により広角に凹面鏡４０の反射面に向けて出射させることができる。そのため、凹面鏡４０の射出焦点（第２焦点Ｆ２）には、（２×θ）度の範囲で被検眼Ｅに光を照射することが可能になる。これにより、１つの凹面鏡を用いたコンパクトな装置により、広い視野での眼底Ｅｆの正面画像と眼底Ｅｆの断層画像の取得が可能になる。また、２次元走査光学系２０を共用することにより眼底Ｅｆの正面画像と眼底Ｅｆの断層画像の取得を行うため、装置の低コスト化および装置の小型化を図ることができる。
【０１５４】
また、眼科装置１ｄによれば、眼底Ｅｆの正面画像と眼底Ｅｆの断層画像とをそれぞれ任意のタイミングで取得することができるので、たとえば、眼底Ｅｆの正面画像と眼底Ｅｆの断層画像とを同時に並行して取得することが可能である。
【０１５５】
〔第６実施形態〕
第５実施形態では、眼底Ｅｆの正面画像を取得するための光学系と眼底Ｅｆの断層画像を取得するための光学系とにより２次元走査光学系２０を共用する場合について説明したが、これに限定されるものではない。第６実施形態では、眼底Ｅｆの正面画像を取得するための光学系と眼底Ｅｆの断層画像を取得するための光学系とが、それぞれ２次元走査光学系を有する場合について説明する。
【０１５６】
第６実施形態に係る眼科装置の構成は、光学系を除いて第５実施形態と同様である。なお、第６実施形態に係る光学系は、第２実施形態に係る光学系１００ａに対して固視光学系５０およびＯＣＴ光学系６０が追加された構成であるものとする。以下では、第６実施形態に係る眼科装置について、第５実施形態との相違点を中心に説明し、第６実施形態に係る光学系について、第２実施形態との相違点を中心に説明する。
【０１５７】
図１３に、第６実施形態に係る光学系の概略構成を示す。図１３において、図５と同様の部分には同一符号を付し、適宜説明を省略する。
【０１５８】
第６実施形態に係る光学系１００ｅが第２実施形態に係る光学系１００ａと異なる点は、屈折光学系３０ｅと固視光学系５０とＯＣＴ光学系６０などである。屈折光学系３０ｅは、屈折光学系３０に代えて配置される。
【０１５９】
屈折光学系３０ｅは、物体側に凸面を向けたメニスカスレンズ３１、３２と、像側に凸面を向けたメニスカスレンズ３４、３７と、ハーフミラー３８と、レンズ駆動機構３５ｅとを有する。ハーフミラー３８は、メニスカスレンズ３２、３４との間に配置され、且つ、メニスカスレンズ３２、３７の間に配置されている。ハーフミラー３８の透過方向にメニスカスレンズ３４が配置されている。ハーフミラー３８の反射方向にメニスカスレンズ３７が配置されている。
【０１６０】
メニスカスレンズ３４は、正の屈折力を有し、屈折光学系３０ｅを構成する光学素子のうち２次元走査光学系２０ａに光学的に最も近い位置に配置されている。メニスカスレンズ３４の凸面側には、２次元走査光学系２０ａにより２次元的に走査されたレーザ光が入射する。
【０１６１】
メニスカスレンズ３７は、正の屈折力を有し、屈折光学系３０ｅを構成する光学素子のうち固視光学系５０およびＯＣＴ光学系６０に光学的に最も近い位置に配置されている。メニスカスレンズ３７は、ハーフミラー３８の反射方向の光軸方向（図１３の矢印方向ｊ）に移動可能に構成されている。
【０１６２】
レンズ駆動機構３５ｅは、ハーフミラー３８の透過方向の光軸方向（図１３の矢印方向ｆ）にメニスカスレンズ３４を移動させる。また、レンズ駆動機構３５ｅは、ハーフミラー３８の反射方向の光軸方向（図１３の矢印方向ｊ）にメニスカスレンズ３７を移動させる。レンズ駆動機構３５ｅは、メニスカスレンズ３４、３７を移動させるための駆動力を発生させる１以上のアクチュエータを含む。この実施形態に係る制御部（合焦制御部）からの制御信号を受けたアクチュエータは、この制御信号に応じた駆動力を発生させる。この駆動力は、図示しない駆動力伝達機構を介してメニスカスレンズ３４、３７の一方または双方に伝達され、制御信号により指示された位置に配置されるようにメニスカスレンズ３４、３７を移動させる。これにより、光路長の変更が可能になり、合焦機能を実現することができる。
【０１６３】
また、光学系１００ｅは、レンズ３９ａと、ビームスプリッタ３９ｂと、フィールドレンズ３９ｃと、結像レンズ３９ｄと、リレーレンズ３９ｅと、２次元走査手段３９ｆと、固視光学系５０と、ＯＣＴ光学系６０とを有する。メニスカスレンズ３７の光軸上に屈折光学系３０ｅに近い順序で、レンズ３９ａ、ビームスプリッタ３９ｂ、フィールドレンズ３９ｃ、結像レンズ３９ｄ、リレーレンズ３９ｅ、２次元走査手段３９ｆ、ＯＣＴ光学系６０が配置されている。固視光学系５０は、ビームスプリッタ３９ｂの反射方向に配置されている。固視光学系５０の構成は、図５と同様である。２次元走査手段３９ｆには、たとえば、互いに回動軸が直交するように設けられた一対のガルバノミラーが用いられる。各ガルバノミラーの反射面は、被検眼Ｅの瞳孔に光学的に共役な位置に配置される。２次元走査手段３９ｆは、制御部のＯＣＴ制御部によって制御される。
【０１６４】
固視光学系５０のＬＣＤ５３から出力された光は、平凸レンズ５２、およびレンズ５１を介して、ビームスプリッタ３９ｂの反射面にて反射される。ビームスプリッタ３９ｂの反射面にて反射された光は、レンズ３９ａによって集光された後、メニスカスレンズ３７を介して、ハーフミラー３８にて反射され、メニスカスレンズ３２、３１により偏向されて眼底Ｅｆに投影される。
【０１６５】
ＯＣＴ光学系６０から出射された信号光ＬＳは、２次元走査手段３９ｆにより２次元的に走査され、リレーレンズ３９ｅ、結像レンズ３９ｄ、フィールドレンズ３９ｃを介して、ビームスプリッタ３９ｂに入射する。信号光ＬＳは、ビームスプリッタ３９ｂを透過し、レンズ３９ａにより集光された後、メニスカスレンズ３７を介して、ハーフミラー３８にて反射され、上記したように、被検眼位置に導かれる。被検眼位置に配置された被検眼Ｅに入射した信号光ＬＳは、眼底（網膜）Ｅｆ上にて結像し反射される。
【０１６６】
信号光ＬＳの眼底反射光は、上記経路を逆向きに進行してＯＣＴ光学系６０に入射し、コリメートレンズユニット６４によりファイバ端面に集光され、光カプラ６２に戻ってくる。光カプラ６２は、この信号光ＬＳと、参照ミラー６５にて反射された参照光ＬＲとを重畳して干渉光ＬＣを生成する。生成された干渉光ＬＣは、シングルモードファイバ等からなる光ファイバを通じて検出部６６に導光される。
【０１６７】
以上のような眼科装置の動作は、第５実施形態と同様であるため、説明を省略する。なお、図１３において、ビームスプリッタ３９ｂが、フィールドレンズ３９ｃと結像レンズ３９ｄとの間に配置されていてもよい。
【０１６８】
［作用・効果］
この実施形態に係る眼科装置の作用および効果について説明する。
【０１６９】
この実施形態に係る眼科装置は、２次元走査光学系２０ａと、屈折光学系３０ｅと、凹面鏡４０とを有する。屈折光学系３０ｅは、２次元走査光学系２０ａにより偏向された光を第１の角度範囲より広い第２の角度範囲において偏向する。屈折光学系３０ｅの射出側光軸Ｋは、凹面鏡４０の反射面が形成される回転対称面の回転対称軸Ｃに略一致するように配置される。屈折光学系３０ｅによる瞳位置（入射瞳の位置または射出瞳の位置）と凹面鏡４０の射出焦点（第２焦点Ｆ２）とは、光学的に共役な位置またはその近傍に配置される。射出焦点（第２焦点Ｆ２）は、被検眼位置に配置される。屈折光学系３０ｅは、メニスカスレンズ３１（第１光学素子）と、メニスカスレンズ３４（第２光学素子）とを含んでもよい。メニスカスレンズ３１は、凹面鏡４０に光学的に最も近い位置に配置される。メニスカスレンズ３４は、２次元走査光学系２０ａに光学的に最も近い位置に配置される。メニスカスレンズ３４は、屈折光学系３０ｅの光軸方向に移動可能に構成されている。眼科装置は、第１光学系と、ハーフミラー３８（ビームスプリッタ）とを含んでもよい。第１光学系は、被検眼Ｅに光を照射するための光学系である。ハーフミラー３８は、メニスカスレンズ３１（第１光学素子）とメニスカスレンズ３４（第２光学素子）との間に配置される。ハーフミラー３８は、屈折光学系３０ｅの光路と第１光学系の光路とを合成する。第１光学系は、被検眼に固視標を投影するための固視光学系５０を含んでもよい。また、第１光学系は、ＯＣＴにより被検眼Ｅの画像を取得するためのＯＣＴ光学系６０を含んでもよい。
【０１７０】
このような眼科装置によれば、２次元走査光学系２０ａにより走査された光を屈折光学系３０ｅにより広角に凹面鏡４０の反射面に向けて出射させることができる。そのため、凹面鏡４０の射出焦点（第２焦点Ｆ２）には、（２×θ）度の範囲で被検眼Ｅに光を照射することが可能になる。これにより、１つの凹面鏡を用いたコンパクトな装置により、広い視野での眼底Ｅｆの正面画像の取得が可能になる。屈折光学系３０ｅに、ハーフミラー３８を設け、屈折光学系３０ｅの光路と、固視光学系５０の光路やＯＣＴ光学系６０の光路とを合成するようにしたので、眼底Ｅｆ上の所望の位置に固視標を投影しながら、広い視野での眼底Ｅｆの正面画像と眼底Ｅｆの断層画像の取得が可能になる。
【０１７１】
〔第７実施形態〕
第６実施形態では、固視光学系５０が屈折光学系３０ｅにおけるハーフミラー３８の反射方向に配置されていたが、これに限定されるものではない。第７実施形態では、固視光学系５０がハーフミラー３８の透過方向に配置され、ＯＣＴ光学系６０がハーフミラー３８の反射方向に配置された場合について説明する。
【０１７２】
第７実施形態に係る眼科装置の構成は、光学系を除いて第６実施形態と同様である。なお、第７実施形態に係る光学系は、第４実施形態に係る光学系１００ｃに対してＯＣＴ光学系６０が追加された構成である。以下では、第７実施形態に係る眼科装置について、第６実施形態との相違点を中心に説明し、第７実施形態に係る光学系について、第４実施形態との相違点を中心に説明する。
【０１７３】
図１４に、第７実施形態に係る光学系の概略構成を示す。図１４において、図８と同様の部分には同一符号を付し、適宜説明を省略する。
【０１７４】
第７実施形態に係る光学系１００ｆが第４実施形態に係る光学系１００ｃと異なる点は、ビームスプリッタ１５およびＯＣＴ光学系６０が追加された点である。ビームスプリッタ１５は、ビームエキスパンダ１２と２次元走査光学系２０との間に配置されている。ビームスプリッタ１５の反射方向にＯＣＴ光学系６０が配置されている。
【０１７５】
固視光学系５０におけるＬＣＤ５３から出力された光は、平凸レンズ５２、レンズ５１を介して、屈折光学系３０ｃにより偏向されて眼底Ｅｆに投影される。被検眼Ｅからの戻り光は、ハーフミラー３３ｃの反射方向に反射され、第１実施形態と同様に、受光部１４にて受光される。
【０１７６】
ＯＣＴ光学系６０から出射された信号光ＬＳは、ビームスプリッタ１５によって反射され、２次元走査光学系２０に向かう。
【０１７７】
２次元走査光学系２０に向かう信号光ＬＳは、上記したように、被検眼位置に導かれる。被検眼位置に配置された被検眼Ｅに入射した信号光ＬＳは、眼底（網膜）Ｅｆ上にて結像し反射される。
【０１７８】
信号光ＬＳの眼底反射光は、上記経路を逆向きに進行してＯＣＴ光学系６０に入射し、コリメートレンズユニット６４によりファイバ端面に集光され、光カプラ６２に戻ってくる。光カプラ６２は、この信号光ＬＳと、参照ミラー６５にて反射された参照光ＬＲとを重畳して干渉光ＬＣを生成する。生成された干渉光ＬＣは、シングルモードファイバ等からなる光ファイバを通じて検出部６６に導光される。
【０１７９】
以上のような眼科装置の動作は、第６実施形態と同様であるため、説明を省略する。
【０１８０】
［作用・効果］
この実施形態に係る眼科装置の作用および効果について説明する。
【０１８１】
この実施形態に係る眼科装置は、２次元走査光学系２０と、屈折光学系３０ｃと、凹面鏡４０とを有する。眼科装置は、第２光学系と、ビームスプリッタ１５とをさらに含んでもよい。第２光学系は、被検眼Ｅに光を照射するための光学系である。ビームスプリッタ１５は、光源１１ａと２次元走査光学系２０との間に配置される。ビームスプリッタ１５は、光源１１ａからの光の光路と第２光学系の光路とを合成する。第２光学系は、ＯＣＴにより被検眼Ｅの画像を取得するためのＯＣＴ光学系を含んでもよい。
【０１８２】
このような眼科装置によれば、２次元走査光学系２０により走査された光を屈折光学系３０ｃにより広角に凹面鏡４０の反射面に向けて出射させることができる。そのため、凹面鏡４０の射出焦点（第２焦点Ｆ２）には、（２×θ）度の範囲で被検眼Ｅに光を照射することが可能になる。これにより、１つの凹面鏡を用いたコンパクトな装置により、眼底Ｅｆ上の所望の位置に固視標を投影しながら、広い視野での眼底Ｅｆの正面画像と眼底Ｅｆの断層画像の取得が可能になる。
【０１８３】
〔第８実施形態〕
第１実施形態〜第７実施形態では、凹面鏡４０が楕円面ミラーであるものとして説明したが、これに限定されるものではない。第８実施形態では、凹面鏡の反射面が楕円面ではなく自由曲面である場合について説明する。
【０１８４】
第８実施形態に係る眼科装置の構成は、凹面鏡の構成を除いて第１実施形態と同様である。以下では、第８実施形態に係る眼科装置について、第１実施形態との相違点を中心に説明する。
【０１８５】
図１５に、第８実施形態に係る光学系の概略構成を示す。図１５において、図１と同様の部分には同一符号を付し、適宜説明を省略する。
【０１８６】
第８実施形態に係る照射光学系１０は、光源部１１と、ビームエキスパンダ１２と、ビームスプリッタ１３と、受光部１４と、２次元走査光学系２０と、屈折光学系３０ｇと、凹面鏡４０ｇとを有する。図１５では、光源部１１、ビームエキスパンダ１２、ビームスプリッタ１３、受光部１４、および２次元走査光学系２０の図示が省略され、屈折光学系３０ｇおよび凹面鏡４０ｇが図示されている。
【０１８７】
屈折光学系３０ｇは、屈折光学系３０と同様に、２次元走査光学系２０により偏向された光を第１の角度範囲より広い第２の角度範囲において偏向する。第２の角度範囲は、半画角で３０度以上とすることが可能である。すなわち、屈折光学系３０ｇは、広角光学系である。また、第２の角度範囲は、半画角で４５度以上とすることが好ましい。すなわち、屈折光学系３０ｇは、超広角光学系である。屈折光学系３０の射出側光軸Ｋは、凹面鏡４０ｇの回転対称軸Ｃに略一致するように配置される。
【０１８８】
屈折光学系３０ｇは、物体側（図１５では凹面鏡４０ｇ側）に凸面を向けたメニスカスレンズ３１ｇ、３２ｇ、３３ｇと、像側（図１５では２次元走査光学系２０側）に凸面を向けたメニスカスレンズ３４ｇと、貼り合わせレンズ３５ｇと、両凸レンズ３６ｇとを有する。屈折光学系３０ｇにおいて、物体側から像側に、メニスカスレンズ３１ｇ、メニスカスレンズ３２ｇ、メニスカスレンズ３３ｇ、メニスカスレンズ３４ｇ、貼り合わせレンズ３５ｇ、両凸レンズ３６ｇの順序で、各光学素子がその光軸上に配置されている。
【０１８９】
屈折光学系３０ｇでは、図２の反射ミラー３３や、図８または図１４のハーフミラー３３ｃや、図１３のハーフミラー３８は、メニスカスレンズ３３ｇと貼り合わせレンズ３５ｇとの間に配置可能である。
【０１９０】
メニスカスレンズ３１ｇは、負の屈折力を有し、屈折光学系３０ｇを構成する光学素子のうち凹面鏡４０ｇに光学的に最も近い位置に配置されている。負の屈折力を有するメニスカスレンズ３１ｇ、３２ｇ、３３ｇを物体側から像側に順番に配置することにより、負レンズの光学的パワーを分担して、広角光学系としてより良好な光学特性を得ることが可能になる。
【０１９１】
両凸レンズ３６ｇは、屈折光学系３０ｇを構成する光学素子のうち２次元走査光学系２０に光学的に最も近い位置に配置されている。両凸レンズ３６ｇの像側の面には、２次元走査光学系２０により２次元的に走査されたレーザ光が入射する。
【０１９２】
レンズ駆動機構３５は、屈折光学系３０ｇの光軸方向（図１５の矢印方向ｐ）に両凸レンズ３６ｇを移動させる。すなわち、両凸レンズ３６ｇは、屈折光学系３０ｇの光軸方向に移動可能に構成されている。レンズ駆動機構３５は、両凸レンズ３６ｇを移動させるための駆動力を発生させるアクチュエータを含む。図示しない制御部からの制御信号を受けたアクチュエータは、この制御信号に応じた駆動力を発生させる。この駆動力は、図示しない駆動力伝達機構を介して両凸レンズ３６ｇに伝達され、制御信号により指示された位置に配置されるように両凸レンズ３６ｇを移動させる。これにより、合焦機能を実現することができる。このため、視度補正が可能になる。
【０１９３】
凹面鏡４０ｇは、回転対称面の少なくとも一部に配置された反射面を有し、屈折光学系３０ｇから出射された光を反射する。この実施形態では、回転対称面は自由曲面である。回転対称面の回転対称軸Ｃは、屈折光学系３０ｇの射出側光軸Ｋに略一致するように配置される。屈折光学系３０ｇによる瞳位置（入射瞳の位置または射出瞳の位置）Ｆ３と凹面鏡４０ｇの射出焦点Ｆ４とは、光学的に共役な位置またはその近傍に配置される。射出焦点Ｆ４は、被検眼Ｅが配置される位置である被検眼位置に配置される。従って、凹面鏡４０ｇは、屈折光学系３０ｇから出射された光を被検眼位置に導く。
【０１９４】
このような第８実施形態に係る眼科装置の動作は、第１実施形態と同様であるため、説明を省略する。
【０１９５】
［作用・効果］
この実施形態に係る眼科装置の作用および効果について説明する。
【０１９６】
この実施形態に係る眼科装置は、２次元走査光学系２０と、屈折光学系３０ｇと、凹面鏡４０ｇとを含む。２次元走査光学系２０は、光源からの光を第１の角度範囲において偏向する。屈折光学系３０ｇは、２次元走査光学系２０により偏向された光を第１の角度範囲より広い第２の角度範囲において偏向する。凹面鏡４０ｇは、回転対称面の少なくとも一部に配置された反射面を有し、屈折光学系３０ｇから出射された光を反射する。屈折光学系３０ｇ射出側光軸Ｋは、回転対称面の回転対称軸Ｃに略一致するように配置される。屈折光学系３０による瞳位置（入射瞳の位置または射出瞳の位置）Ｆ３と凹面鏡４０ｇの射出焦点Ｆ４とは、光学的に共役な位置またはその近傍に配置される。射出焦点Ｆ４は、被検眼位置に配置される。
【０１９７】
このような眼科装置によれば、２次元走査光学系２０により２次元的に偏向されたレーザ光を屈折光学系３０ｇにより広角に凹面鏡４０ｇの反射面に向けて出射させることができる。しかし、広角になるほど瞳の収差が大きくなる傾向があり、屈折光学系３０ｇによる射出瞳の位置（Ｆ３）では光束が大きく広がる。凹面鏡４０ｇを適切な自由曲面にすることでその瞳の収差を補正することができる。そのため、凹面鏡４０ｇの射出焦点Ｆ４には、（２×θ）度の範囲で被検眼Ｅにレーザ光を照射することが可能になる。これにより、１つの凹面鏡を用いたコンパクトな装置により、広い視野での眼底Ｅｆの観察が可能になる。また、凹面鏡４０ｇの反射面を自由曲面により形成するようにしたので、設計の自由度が向上し、たとえば、屈折光学系３０ｇと凹面鏡４０ｇとを用いた収差補正などが可能になり、画質のより一層の向上が可能になる。
【０１９８】
〔第９実施形態〕
第９実施形態に係る眼科装置では、第８実施形態と同様に凹面鏡が自由曲面ミラーである。第９実施形態に係る眼科装置の構成は、第１実施形態に係る眼科装置の構成とほぼ同様である。以下では、第９実施形態に係る眼科装置について、第１実施形態との相違点を中心に説明する。
【０１９９】
図１６に、第９実施形態に係る光学系の概略構成を示す。図１６において、図１と同様の部分には同一符号を付し、適宜説明を省略する。
【０２００】
第９実施形態に係る眼科装置１００ｈは、凹面鏡４０ｈを含む。凹面鏡４０ｈは、第８実施形態に係る凹面鏡４０ｇと同様の自由曲面ミラーである。この実施形態において、屈折光学系３０による光源側の瞳位置（ポリゴンミラー２１の反射面（偏向面）の位置Ｆ６）と凹面鏡４０ｈの射出焦点Ｆ７とは、光学的に共役な位置またはその近傍に配置されている。射出焦点Ｆ７は、被検眼位置に配置される。図１６において、回転ミラー２３の反射面の位置Ｆ５とポリゴンミラー２１の反射面の位置Ｆ６と射出焦点Ｆ７とは、光学的に共役な位置またはその近傍に配置されていてよい。
【０２０１】
〔その他〕
なお、上記のいずれかの実施形態に係る眼科装置は、任意の位置にビームスプリッタを配置することにより、照射光学系と被検眼Ｅに光を照射するための第３光学系とを組み合わせることが可能である。このビームスプリッタ（第３ビームスプリッタ）は、光源１１ａと第１光学素子（たとえば、メニスカスレンズ３１）の間に配置され、光源１１ａからの光の光路と第３光学系の光路とを合成する。これにより、１つの凹面鏡を用いたコンパクトな装置によって、第３光学系により被検眼Ｅに光を照射しながら広い視野での眼底Ｅｆの正面画像の取得が可能になる。
【０２０２】
また、実施形態に係る眼科装置の構成は、上記の実施形態で説明した構成に限定されるものではない。
【０２０３】
また、第１実施形態〜第９実施形態に係る眼科装置において、網膜を刺激する手段が設けられていてもよい。このような眼科装置によれば、網膜に刺激を与える前の画像（眼底Ｅｆの正面画像や眼底Ｅｆの断層画像）と網膜に刺激を与えた後の画像（眼底Ｅｆの正面画像や眼底Ｅｆの断層画像）とを比較して網膜神経機能などを検査することができるようになる。
【０２０４】
また、第１実施形態〜第９実施形態に係る眼科装置は、治療用レーザ光を導く光学系を備えた装置に適用してもよい。
【０２０５】
また、第８実施形態または第９実施形態において、凹面鏡４０ｇの反射面を変形可能に構成するようにしてもよい。この場合、射出焦点Ｆ４、Ｆ７の位置の調整などが可能になり、画質の微調整などを行うことができるようになる。
【０２０６】
以上に説明した構成は、この発明を好適に実施するための一例に過ぎない。よって、この発明の要旨の範囲内における任意の変形（省略、置換、付加など）を適宜に施すことが可能である。
【０２０７】
また、第１実施形態〜第９実施形態において説明した構成を任意に組み合わせることが可能である。
【符号の説明】
【０２０８】
１、１ｂ、１ｄ  眼科装置
１０  照射光学系
１１  光源部
１１ａ  光源
１１ｂ  コリメートレンズ
１１ｃ  開口絞り
１２、２２  ビームエキスパンダ
１２ａ、１２ｂ  両凸レンズ
１３、１５  ビームスプリッタ
１４  受光部
１４ａ  集光レンズ
１４ｂ  共焦点ピンホール
１４ｃ  受光素子
２０、２０ａ  ２次元走査光学系
２１  ポリゴンミラー
２２ａ、２２ｃ  レンズ
２２ｂ  フィールドレンズ
２３  回転ミラー
３０、３０ｃ、３０ｅ、３０ｇ  屈折光学系
３１、３２、３４  メニスカスレンズ
３３  反射ミラー
３３ｃ、３８  ハーフミラー
３５、３５ｃ、３５ｅ  レンズ駆動機構
４０、４０ｇ、４０ｈ  凹面鏡
５０  固視光学系
６０  ＯＣＴ光学系
１００、１００ａ、１００ｂ、１００ｃ、１００ｄ、１００ｅ、１００ｆ、１００ｈ  光学系
２００  制御部
２１０  電源部
２２０  光源制御部
２３０  画像形成部
２３１  Ａ／Ｄ変換部
２３２  眼底像形成部
２３３  メモリ部
２４０  データ処理部
２５０  ユーザインターフェイス
Ｅ  被検眼
Ｅｃ  水晶体
Ｅｆ  眼底
Ｅｉ  虹彩
Ｆ１  第１焦点
Ｆ２  第２焦点
Ｐ１  第１回動軸
Ｐ２  第２回動軸
【図１】
2015205176.tif 000003
【図２】
2015205176.tif 000004
【図３】
2015205176.tif 000005
【図４】
2015205176.tif 000006
【図５】
2015205176.tif 000007
【図６】
2015205176.tif 000008
【図７】
2015205176.tif 000009
【図８】
2015205176.tif 000010
【図９】
2015205176.tif 000011
【図１０】
2015205176.tif 000012
【図１１】
2015205176.tif 000013
【図１２】
2015205176.tif 000014
【図１３】
2015205176.tif 000015
【図１４】
2015205176.tif 000016
【図１５】
2015205176.tif 000017
【図１６】
2015205176.tif 000018